【手続補正書】
【提出日】平成15年10月28日(2003.10.28)
【手続補正１】
【補正対象書類名】明細書
【補正対象項目名】特許請求の範囲
【補正方法】変更
【補正の内容】
【特許請求の範囲】
【請求項１】
地図データを記憶した地図記憶媒体と上記地図データ以外のデータを記憶した記憶媒体とを選択的にセット可能な記憶媒体セット手段と、
この記憶媒体セット手段に選択的にセットされた上記地図記憶媒体から地図データを読出すとともに、上記記憶媒体セット手段に選択的にセットされた上記記憶媒体から地図データ以外のデータを読出す読出手段と、
この読出手段により上記記憶媒体から読出された地図データ以外のデータを再生する再生手段と、
上記読出手段により上記地図記憶媒体から読出された地図データを記憶するメモリと、
このメモリに記憶されている地図データを用いて表示手段に地図を表示させる表示制御手段と、
この表示制御手段により上記表示手段に地図が表示されているときに、上記読出手段による上記記憶媒体からの地図データ以外のデータの読出処理及び上記再生手段による地図データ以外のデータの再生処理の実行を許容する許容手段と
を具備したことを特徴とする地図表示装置。
【請求項２】
上記読出手段は、上記地図記憶媒体に記憶されている地図データの一部を読出し、
上記メモリは、上記読出手段により読出された一部の地図データを記憶する
ことを特徴とする請求項１記載の地図表示装置。
【請求項３】
出発地点及び目的地点を指定する指定手段と、
この指定手段により指定された出発地点から目的地点に至る推奨経路を計算する経路算手段とをさらに具備し、
上記読出手段は、上記経路計算手段で得た推奨経路の地図表示に必要な部分の地図データを上記地図記憶媒体から読出し、
上記メモリは、上記読出手段により読出された推奨経路の地図表示に必要な部分の地図データを記憶し、
上記表示制御手段は、上記メモリに記憶されている推奨経路の地図表示に必要な部分の地図データを用いて上記表示手段に経路誘導機能実行中の地図表示を行なう
ことを特徴とする請求項２記載の地図表示装置。
【請求項４】
上記表示制御手段により表示手段に表示される地図の範囲が上記メモリに記憶されている地図データの地図範囲を外れる旨を報知する報知手段をさらに具備したことを特徴とする請求項１乃至３いずれかに記載の地図表示装置。
【請求項５】
上記報知手段は、上記記憶媒体セット手段への地図記憶媒体のセット作業をユーザに対して促す報知を行なうことを特徴とする請求項４記載の地図表示装置。
【請求項６】
上記地図記憶媒体と上記地図データ以外のデータを記憶した記憶媒体とを同時に装着可能な記憶媒体装着手段をさらに具備し、
上記記憶媒体セット手段は、上記記憶媒体装着手段に同時に装着されている上記地図記憶媒体と上記地図データ以外のデータを記憶した記憶媒体とを選択的にセット可能であり、
上記表示制御手段により表示手段に表示される地図の範囲が上記メモリに記憶されている地図データの地図範囲を外れる場合、上記記憶媒体装着手段に装着されている上記地図記憶媒体を、上記地図データ以外のデータを記憶した記憶媒体に代えて上記記憶媒体セット手段にセットして上記読出手段に新たな地図範囲の地図データを読出させる制御手段をさらに具備した
ことを特徴とする請求項１乃至４いずれかに記載の地図表示装置。
【請求項７】
上記制御手段は、上記読出手段に新たな地図範囲の地図データを読出させた後、上記記憶媒体装着手段に装着されている上記地図データ以外のデータを記憶した記憶媒体を、上記地図記憶媒体に代えて上記記憶媒体セット手段にセットする手段を含むことを特徴とする請求項６記載の地図表示装置。
【請求項８】
上記地図記憶媒体は、地図データ以外のデータを記憶した媒体と互換性を有するディスク形状の媒体であることを特徴とする請求項１乃至７いずれかに記載の地図表示装置。
【請求項９】
上記メモリに記憶させる地図データをその重要度によって制限する制限手段をさらに具備したことを特徴とする請求項１乃至８いずれかに記載の地図表示装置。
【請求項１０】
地図表示装置にセットされた地図記憶媒体から地図データを読出すステップと、
読出された地図データをメモリに記憶するステップと、
上記メモリに記憶されている地図データを用いてモニタに地図を表示させるステップと、
上記モニタに地図が表示されているときに、上記地図記憶媒体に代えてセットされた地図データ以外のデータを記憶した記憶媒体からのデータ読出処理及びデータ再生処理の実行を許容するステップと
からなることを特徴とする地図表示方法。
【請求項１１】
地図表示装置が有するコンピュータを実行させるプログラムを記録した記録媒体であって、
地図表示装置にセットされた地図記憶媒体から地図データを読出すステップと、
読出された地図データをメモリに記憶するステップと、
上記メモリに記憶されている地図データを用いてモニタに地図を表示させるステップと、
上記モニタに地図が表示されているときに、上記地図記憶媒体に代えてセットされた地図データ以外のデータを記憶した記憶媒体からのデータ読出処理及びデータ再生処理の実行を許容するステップと
を実行させるプログラムを記録したことを特徴とする記録媒体。
【手続補正２】
【補正対象書類名】明細書
【補正対象項目名】０００６
【補正方法】変更
【補正の内容】
【０００６】
【課題を解決するための手段】
請求項１記載の発明は、地図データを記憶した地図記憶媒体と上記地図データ以外のデータを記憶した記憶媒体とを選択的にセット可能な記憶媒体セット手段と、この記憶媒体セット手段に選択的にセットされた上記地図記憶媒体から地図データを読出すとともに、上記記憶媒体セット手段に選択的にセットされた上記記憶媒体から地図データ以外のデータを読出す読出手段と、この読出手段により上記記憶媒体から読出された地図データ以外のデータを再生する再生手段と、上記読出手段により上記地図記憶媒体から読出された地図データを記憶するメモリと、このメモリに記憶されている地図データを用いて表示手段に地図を表示させる表示制御手段と、この表示制御手段により上記表示手段に地図が表示されているときに、上記読出手段による上記記憶媒体からの地図データ以外のデータの読出処理及び上記再生手段による地図データ以外のデータの再生処理の実行を許容する許容手段とを具備したことを特徴とする。
【手続補正３】
【補正対象書類名】明細書
【補正対象項目名】０００７
【補正方法】変更
【補正の内容】
【０００７】
このような構成とすれば、記憶媒体の駆動装置を複数設けることなく、ナビゲーション動作を実行しながら、地図データを記憶した記憶媒体以外の記憶媒体を同時に再生することができる。
【手続補正４】
【補正対象書類名】明細書
【補正対象項目名】０００８
【補正方法】変更
【補正の内容】
【０００８】
請求項２記載の発明は、上記請求項１記載の発明において、上記読出手段は、上記地図記憶媒体に記憶されている地図データの一部を読出し、上記メモリは、上記読出手段により読出された一部の地図データを記憶することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項３記載の発明は、上記請求項２記載の発明において、出発地点及び目的地点を指定する指定手段と、この指定手段により指定された出発地点から目的地点に至る推奨経路を計算する経路算手段とをさらに具備し、上記読出手段は、上記経路計算手段で得た推奨経路の地図表示に必要な部分の地図データを上記地図記憶媒体から読出し、上記メモリは、上記読出手段により読出された推奨経路の地図表示に必要な部分の地図データを記憶し、上記表示制御手段は、上記メモリに記憶されている推奨経路の地図表示に必要な部分の地図データを用いて上記表示手段に経路誘導機能実行中の地図表示を行なうことを特徴とする。
【手続補正７】
【補正対象書類名】明細書
【補正対象項目名】００１１
【補正方法】変更
【補正の内容】
【００１１】
このような構成とすれば、地図データを記憶した記憶媒体に対するアクセスを常時行なうことなく、より高い表示速度で経路誘導機能に基づいたナビゲーション動作を実行することができる。
【手続補正８】
【補正対象書類名】明細書
【補正対象項目名】００１２
【補正方法】変更
【補正の内容】
【００１２】
請求項４記載の発明は、上記請求項１乃至３いずれかに記載の発明において、上記表示制御手段により表示手段に表示される地図の範囲が上記メモリに記憶されている地図データの地図範囲を外れる旨を報知する報知手段をさらに具備したことを特徴とする。
【手続補正９】
【補正対象書類名】明細書
【補正対象項目名】００１３
【補正方法】変更
【補正の内容】
【００１３】
このような構成とすれば、経路誘導機能の実行時にメモリに記憶されている地図データの表示範囲を外れてしまった場合にも速やかに地図記憶媒体の装着を促すよう報知して新たな地図データの読出しに移行させることができる。
【手続補正１０】
【補正対象書類名】明細書
【補正対象項目名】００１４
【補正方法】変更
【補正の内容】
【００１４】
請求項５記載の発明は、上記請求項４記載の発明において、上記報知手段は、上記記憶媒体セット手段への地図記憶媒体のセット作業をユーザに対して促す報知を行なうことを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項６記載の発明は、上記請求項１乃至４いずれかに記載の発明において、  上記地図記憶媒体と上記地図データ以外のデータを記憶した記憶媒体とを同時に装着可能な記憶媒体装着手段をさらに具備し、上記記憶媒体セット手段は、上記記憶媒体装着手段に同時に装着されている上記地図記憶媒体と上記地図データ以外のデータを記憶した記憶媒体とを選択的にセット可能であり、上記表示制御手段により表示手段に表示される地図の範囲が上記メモリに記憶されている地図データの地図範囲を外れる場合、上記記憶媒体装着手段に装着されている上記地図記憶媒体を、上記地図データ以外のデータを記憶した記憶媒体に代えて上記記憶媒体セット手段にセットして上記読出手段に新たな地図範囲の地図データを読出させる制御手段をさらに具備したことを特徴とする。
【手続補正１３】
【補正対象書類名】明細書
【補正対象項目名】００１７
【補正方法】変更
【補正の内容】
【００１７】
このような構成とすれば、経路誘導機能の実行時にメモリに記憶されている地図データの表示範囲を外れてしまった場合にも即座に地図記憶媒体から新たな地図データを読出して表示動作に移行させることができる。
【手続補正１４】
【補正対象書類名】明細書
【補正対象項目名】００１８
【補正方法】変更
【補正の内容】
【００１８】
請求項７記載の発明は、上記請求項６記載の発明において、上記制御手段は、上記読出手段に新たな地図範囲の地図データを読出させた後、上記記憶媒体装着手段に装着されている上記地図データ以外のデータを記憶した記憶媒体を、上記地図記憶媒体に代えて上記記憶媒体セット手段にセットする手段を含むことを特徴とする。
【手続補正１５】
【補正対象書類名】明細書
【補正対象項目名】００１９
【補正方法】変更
【補正の内容】
【００１９】
このような構成とすれば、地図データ以外の媒体の再生動作状態に速やかに復帰することができる。
【手続補正１６】
【補正対象書類名】明細書
【補正対象項目名】００２０
【補正方法】変更
【補正の内容】
【００２０】
請求項８記載の発明は、上記請求項１乃至７いずれかに記載の発明において、上記地図記憶媒体は、地図データ以外のデータを記憶した媒体と互換性を有するディスク形状の媒体であることを特徴とする。
【手続補正１７】
【補正対象書類名】明細書
【補正対象項目名】００２１
【補正方法】変更
【補正の内容】
【００２１】
このような構成とすれば、経路誘導機能に基づいたナビゲーション動作の実行時に地図データ以外のデータを記憶した、例えば音楽用のソフトウェア等を記憶したディスク形状の媒体を同時に再生することができる。
【手続補正１８】
【補正対象書類名】明細書
【補正対象項目名】００２２
【補正方法】変更
【補正の内容】
【００２２】
請求項９記載の発明は、上記請求項１乃至８いずれかに記載の発明において、上記メモリに記憶させる地図データをその重要度によって制限する制限手段をさらに具備したことを特徴とする。
【手続補正１９】
【補正対象書類名】明細書
【補正対象項目名】００２３
【補正方法】変更
【補正の内容】
【００２３】
このような構成とすれば、表示させる地図データの内容を重用度に応じて制限することで、メモリの記憶データ量を大幅に減らすことができると同時に、表示
内容が繁雑なものとなるのを回避し、視認性を向上させることができる。
【手続補正２０】
【補正対象書類名】明細書
【補正対象項目名】００２４
【補正方法】変更
【補正の内容】
【００２４】
請求項１０記載の発明は、地図表示装置にセットされた地図記憶媒体から地図データを読出すステップと、読出された地図データをメモリに記憶するステップと、上記メモリに記憶されている地図データを用いてモニタに地図を表示させるステップと、上記モニタに地図が表示されているときに、上記地図記憶媒体に代えてセットされた地図データ以外のデータを記憶した記憶媒体からのデータ読出処理及びデータ再生処理の実行を許容するステップとからなることを特徴とする。
【手続補正２１】
【補正対象書類名】明細書
【補正対象項目名】００２５
【補正方法】変更
【補正の内容】
【００２５】
このような方法とすれば、記憶媒体の駆動装置を複数設けることなく、ナビゲーション動作を実行しながら、地図データを記憶した記憶媒体以外の記憶媒体を同時に再生することができる。
【手続補正２２】
【補正対象書類名】明細書
【補正対象項目名】００２６
【補正方法】変更
【補正の内容】
【００２６】
請求項１１記載の発明は、地図表示装置が有するコンピュータを実行させるプログラムを記録した記録媒体であって、地図表示装置にセットされた地図記憶媒体から地図データを読出すステップと、読出された地図データをメモリに記憶するステップと、上記メモリに記憶されている地図データを用いてモニタに地図を表示させるステップと、上記モニタに地図が表示されているときに、上記地図記憶媒体に代えてセットされた地図データ以外のデータを記憶した記憶媒体からのデータ読出処理及びデータ再生処理の実行を許容するステップとを実行させるプログラムを記録したことを特徴とする。
【手続補正２３】
【補正対象書類名】明細書
【補正対象項目名】００２７
【補正方法】変更
【補正の内容】
【００２７】
このような記録内容とすれば、記憶媒体の駆動装置を複数設けることなく、ナビゲーション動作を実行しながら、地図データを記憶した記憶媒体以外の記憶媒体を同時に再生することができる。
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００８２
【補正方法】変更
【補正の内容】
【００８２】
【発明の効果】
請求項１記載の発明によれば、記憶媒体の駆動装置を複数設けることなく、ナビゲーション動作を実行しながら、地図データを記憶した記憶媒体以外の記憶媒体を同時に再生することができる。
【手続補正３０】
【補正対象書類名】明細書
【補正対象項目名】００８３
【補正方法】変更
【補正の内容】
【００８３】
請求項３記載の発明によれば、地図データを記憶した記憶媒体に対するアクセスを常時行なうことなく、より高い表示速度で経路誘導機能に基づいたナビゲーション動作を実行することができる。
【手続補正３１】
【補正対象書類名】明細書
【補正対象項目名】００８４
【補正方法】変更
【補正の内容】
【００８４】
請求項４記載の発明によれば、経路誘導機能の実行時にメモリに記憶されている地図データの表示範囲を外れてしまった場合にも速やかに地図記憶媒体の装着を促すよう報知して新たな地図データの読出しに移行させることができる。
【手続補正３２】
【補正対象書類名】明細書
【補正対象項目名】００８５
【補正方法】変更
【補正の内容】
【００８５】
請求項６記載の発明によれば、経路誘導機能の実行時にメモリに記憶されている地図データの表示範囲を外れてしまった場合にも即座に地図記憶媒体から新たな地図データを読出して表示動作に移行させることができる。
【手続補正３３】
【補正対象書類名】明細書
【補正対象項目名】００８６
【補正方法】変更
【補正の内容】
【００８６】
請求項７記載の発明によれば、地図データ以外の媒体の再生動作状態に速やかに復帰することができる。
【手続補正３４】
【補正対象書類名】明細書
【補正対象項目名】００８７
【補正方法】変更
【補正の内容】
【００８７】
請求項８記載の発明によれば、経路誘導機能に基づいたナビゲーション動作の実行時に地図データ以外のデータを記憶した、例えば音楽用のソフトウェア等を記憶したディスク形状の媒体を同時に再生することができる。
【手続補正３５】
【補正対象書類名】明細書
【補正対象項目名】００８８
【補正方法】変更
【補正の内容】
【００８８】
請求項９記載の発明によれば、表示させる地図データの内容を重用度に応じて制限することで、メモリの記憶データ量を大幅に減らすことができると同時に、表示内容が繁雑なものとなるのを回避し、視認性を向上させることができる。
【手続補正３６】
【補正対象書類名】明細書
【補正対象項目名】００８９
【補正方法】変更
【補正の内容】
【００８９】
請求項１０記載の発明によれば、記憶媒体の駆動装置を複数設けることなく、ナビゲーション動作を実行しながら、地図データを記憶した記憶媒体以外の記憶媒体を同時に再生することができる。
【手続補正３７】
【補正対象書類名】明細書
【補正対象項目名】００９０
【補正方法】変更
【補正の内容】
【００９０】
請求項１１記載の発明によれば、記憶媒体の駆動装置を複数設けることなく、ナビゲーション動作を実行しながら、地図データを記憶した記憶媒体以外の記憶媒体を同時に再生することができる。
【手続補正３８】
【補正対象書類名】明細書
【補正対象項目名】００９１
【補正方法】削除
【補正の内容】
【手続補正３９】
【補正対象書類名】明細書
【補正対象項目名】００９２
【補正方法】削除
【補正の内容】
【手続補正４０】
【補正対象書類名】明細書
【補正対象項目名】００９３
【補正方法】削除
【補正の内容】
【手続補正４１】
【補正対象書類名】明細書
【補正対象項目名】００９４
【補正方法】削除
【補正の内容】